(57)【特許請求の範囲】
【請求項１】
無線デバイスによる無線通信の方法であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定することと、
前記ピア・トゥ・ピア・リソースを用いたピア・トゥ・ピア通信のために、前記クロック・タイミングを利用することと、を備え、
前記クロック・タイミングを決定することは、前記ＷＷＡＮダウンリンク受信タイミングと前記ＷＷＡＮアップリンク送信タイミングとを平均化することを備える方法。
【請求項２】
基地局からタイミング同期信号を受信することと、
前記受信したタイミング同期信号に基づいて、前記ＷＷＡＮダウンリンク受信タイミングを決定することと、をさらに備える請求項１に記載の方法。
【請求項３】
基地局からタイミング・アドバンスを受信することと、
前記受信したタイミング・アドバンスに基づいて、前記ＷＷＡＮアップリンク送信タイミングを決定することと、をさらに備える請求項１に記載の方法。
【請求項４】
前記リソースはさらに、前記ピア・トゥ・ピア・リソースで多重化されたＷＷＡＮリソース周波数分割を備える、請求項１に記載の方法。
【請求項５】
前記リソースはさらに、前記ピア・トゥ・ピア・リソースに隣接するＷＷＡＮリソースを備え、前記方法はさらに、
基地局からタイミング・アドバンスを受信することと、
前記ピア・トゥ・ピア・リソースを２つの期間のために用いることを回避することとを備え、
前記２つの期間は、前記タイミング・アドバンスに基づいており、前記２つの期間の各期間は、前記ピア・トゥ・ピア・リソースに隣接する前記ＷＷＡＮリソースに隣接している、請求項１に記載の方法。
【請求項６】
前記各期間は、前記タイミング・アドバンスの半分である、請求項５に記載の方法。
【請求項７】
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、請求項５に記載の方法。
【請求項８】
前記第１の期間は、前記ＷＷＡＮダウンリンク受信タイミングに等しく、前記第２の期間は、前記ＷＷＡＮアップリンク送信タイミングに等しい、請求項７に記載の方法。
【請求項９】
前記クロック・タイミングをブロードキャストすること、をさらに備える請求項１に記載の方法。
【請求項１０】
無線通信のための装置であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定する手段と、
前記ピア・トゥ・ピア・リソースを用いたピア・トゥ・ピア通信のために、前記クロック・タイミングを利用する手段と、を備え、
前記クロック・タイミングを決定する手段は、前記ＷＷＡＮダウンリンク受信タイミングと前記ＷＷＡＮアップリンク送信タイミングとを平均化する装置。
【請求項１１】
基地局からタイミング同期信号を受信する手段と、
前記受信したタイミング同期信号に基づいて、前記ＷＷＡＮダウンリンク受信タイミングを決定する手段と、をさらに備える請求項１０に記載の装置。
【請求項１２】
基地局からタイミング・アドバンスを受信する手段と、
前記受信したタイミング・アドバンスに基づいて、前記ＷＷＡＮアップリンク送信タイミングを決定する手段と、をさらに備える請求項１０に記載の装置。
【請求項１３】
前記リソースはさらに、前記ピア・トゥ・ピア・リソースで多重化されたＷＷＡＮリソース周波数分割を備える、請求項１０に記載の装置。
【請求項１４】
前記リソースはさらに、前記ピア・トゥ・ピア・リソースに隣接するＷＷＡＮリソースを備え、前記装置はさらに、
基地局からタイミング・アドバンスを受信する手段と、
前記ピア・トゥ・ピア・リソースを２つの期間のために用いることを回避する手段とを備え、
前記２つの期間は、前記タイミング・アドバンスに基づいており、前記２つの期間の各期間は、前記ピア・トゥ・ピア・リソースに隣接する前記ＷＷＡＮリソースに隣接している、請求項１０に記載の装置。
【請求項１５】
前記各期間は、前記タイミング・アドバンスの半分である、請求項１４に記載の装置。
【請求項１６】
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、請求項１４に記載の装置。
【請求項１７】
前記第１の期間は、前記ＷＷＡＮダウンリンク受信タイミングに等しく、前記第２の期間は、前記ＷＷＡＮアップリンク送信タイミングに等しい、請求項１６に記載の装置。
【請求項１８】
前記クロック・タイミングをブロードキャストする手段、をさらに備える請求項１０に記載の装置。
【請求項１９】
無線通信のための装置であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定し、
前記ピア・トゥ・ピア・リソースを用いたピア・トゥ・ピア通信のために、前記クロック・タイミングを利用するように構成された処理システム、を備え、
前記クロック・タイミングを決定するために、前記処理システムは、前記ＷＷＡＮダウンリンク受信タイミングと前記ＷＷＡＮアップリンク送信タイミングとを平均化するように構成された装置。
【請求項２０】
前記処理システムはさらに、基地局からタイミング同期信号を受信し、前記受信したタイミング同期信号に基づいて、前記ＷＷＡＮダウンリンク受信タイミングを決定するように構成された、請求項１９に記載の装置。
【請求項２１】
前記処理システムはさらに、
基地局からタイミング・アドバンスを受信し、
前記受信したタイミング・アドバンスに基づいて、前記ＷＷＡＮアップリンク送信タイミングを決定するように構成された、請求項１９に記載の装置。
【請求項２２】
前記リソースはさらに、前記ピア・トゥ・ピア・リソースで多重化されたＷＷＡＮリソース周波数分割を備える、請求項１９に記載の装置。
【請求項２３】
前記リソースはさらに、前記ピア・トゥ・ピア・リソースに隣接するＷＷＡＮリソースを備え、前記処理システムはさらに、
基地局からタイミング・アドバンスを受信し、
前記ピア・トゥ・ピア・リソースを２つの期間のために用いることを回避するように構成され、
前記２つの期間は、前記タイミング・アドバンスに基づいており、前記２つの期間の各期間は、前記ピア・トゥ・ピア・リソースに隣接する前記ＷＷＡＮリソースに隣接している、請求項１９に記載の装置。
【請求項２４】
前記各期間は、前記タイミング・アドバンスの半分である、請求項２３に記載の装置。
【請求項２５】
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、請求項２３に記載の装置。
【請求項２６】
前記第１の期間は、前記ＷＷＡＮダウンリンク受信タイミングに等しく、前記第２の期間は、前記ＷＷＡＮアップリンク送信タイミングに等しい、請求項２５に記載の装置。
【請求項２７】
前記処理システムはさらに、前記クロック・タイミングをブロードキャストするように構成された、請求項１９に記載の装置。
【請求項２８】
無線デバイスのためのコンピュータ・プログラムを記憶したコンピュータ読取可能な記憶媒体であって、
前記コンピュータ・プログラムは、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定することと、
前記ピア・トゥ・ピア・リソースを用いたピア・トゥ・ピア通信のために、前記クロック・タイミングを利用することと、のためのコードを備え、
前記クロック・タイミングを決定するためのコードは、前記ＷＷＡＮダウンリンク受信タイミングと前記ＷＷＡＮアップリンク送信タイミングとを平均化する、コンピュータ読取可能な記憶媒体。
【請求項２９】
前記コンピュータ・プログラムはさらに、
基地局からタイミング同期信号を受信することと、
前記受信したタイミング同期信号に基づいて、前記ＷＷＡＮダウンリンク受信タイミングを決定することと、
のためのコードを備える、請求項２８に記載のコンピュータ読取可能な記憶媒体。
【請求項３０】
前記コンピュータ・プログラムはさらに、
基地局からタイミング・アドバンスを受信することと、
前記受信したタイミング・アドバンスに基づいて、前記ＷＷＡＮアップリンク送信タイミングを決定することと、
のためのコードをさらに備える、請求項２８に記載のコンピュータ読取可能な記憶媒体。
【請求項３１】
前記リソースはさらに、前記ピア・トゥ・ピア・リソースで多重化されたＷＷＡＮリソース周波数分割を備える、請求項２８に記載のコンピュータ読取可能な記憶媒体。
【請求項３２】
前記リソースはさらに、前記ピア・トゥ・ピア・リソースに隣接するＷＷＡＮリソースを備え、
前記コンピュータ・プログラムはさらに、
基地局からタイミング・アドバンスを受信することと、
前記ピア・トゥ・ピア・リソースを２つの期間のために用いることを回避することとのためのコードを備え、
前記２つの期間は、前記タイミング・アドバンスに基づいており、前記２つの期間の各期間は、前記ピア・トゥ・ピア・リソースに隣接する前記ＷＷＡＮリソースに隣接している、請求項２８に記載のコンピュータ読取可能な記憶媒体。
【請求項３３】
前記各期間は、前記タイミング・アドバンスの半分である、請求項３２に記載のコンピュータ読取可能な記憶媒体。
【請求項３４】
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、請求項３２に記載のコンピュータ読取可能な記憶媒体。
【請求項３５】
前記第１の期間は、前記ＷＷＡＮダウンリンク受信タイミングに等しく、前記第２の期間は、前記ＷＷＡＮアップリンク送信タイミングに等しい、請求項３４に記載のコンピュータ読取可能な記憶媒体。
【請求項３６】
前記コンピュータ・プログラムはさらに、前記クロック・タイミングをブロードキャストするためのコードを備える、請求項２８に記載のコンピュータ読取可能な記憶媒体。
【発明の詳細な説明】
【技術分野】
【０００１】
本開示は、一般に、通信システムに関し、さらに詳しくは、無線広域ネットワーク（ＷＷＡＮ）スペクトルで動作するピア・トゥ・ピア・デバイスのためのタイミング同期に関する。
【背景技術】
【０００２】
ＷＷＡＮでは、無線デバイス間のすべての通信が、無線デバイスとサービス提供基地局（単数または複数）との間のアップリンク・チャネルおよびダウンリンク・チャネルを介する。通信している２つの無線デバイスが互いの近傍に存在する場合、これらデバイスは、基地局を介することなく、ダイレクトに通信しうる。このようなダイレクトなピア・トゥ・ピア通信によって、新たなタイプのサービスが可能となり、基地局におけるトラフィック負荷を低減しうる。
【０００３】
ピア・トゥ・ピア通信とＷＷＡＮ通信との間の干渉を回避するために、ピア・トゥ・ピア通信フレーム／リソースとＷＷＡＮ通信フレーム／リソースとが時間において直交する。
【０００４】
そのため、ピア・トゥ・ピア通信に参加する無線デバイスは、ピア・トゥ・ピア通信フレームにおいて互いに同期される必要はない。そのため、イボルブド・ノードＢ（ｅノードＢ）が同期される同期ロング・ターム・イボリューション（ＬＴＥ）ネットワークにおいてピア・トゥ・ピア通信を同期させるためのニーズがある。
【発明の概要】
【０００５】
本開示の態様では、ピア・トゥ・ピア・リソースを含むリソースを利用するために、ＷＷＡＮダウンリンク受信タイミングおよびＷＷＡＮアップリンク送信タイミングに基づいてクロック・タイミングが決定される、方法、装置、およびコンピュータ・プログラム製品が提供される。さらに、クロック・タイミングは、ピア・トゥ・ピア・リソースを用いたピア・トゥ・ピア通信のために利用される。
【図面の簡単な説明】
【０００６】
【図１】図１は、処理システムを適用する装置のためのハードウェア実装の例を例示する図解である。
【図２】図２は、無線ピア・トゥ・ピア通信システムの図解である。
【図３】図３は、時間において直交するＷＷＡＮ通信リソースとピア・トゥ・ピア通信リソースとを例示する図解である。
【図４】図４は、ダウンリンク受信タイミングおよびタイミング・アドバンスを例示する図解である。
【図５】図５は、ピア・トゥ・ピア通信タイミングを例示する図解である。
【図６】図６は、無線通信の方法のフロー・チャートである。
【図７】図７は、無線通信の別の方法のフロー・チャートである。
【図８】図８は、典型的な装置の機能を例示する概念ブロック図である。
【発明を実施するための形態】
【０００７】
添付図面に関連して以下に記載された詳細説明は、さまざまな構成の説明として意図されており、本明細書に記載されている概念が実現されうる唯一の構成を表すとは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。
【０００８】
いくつかの事例では、周知の構成および構成要素が、このような概念を曖昧にすることを避けるために、ブロック図形式で示されている。通信システムのいくつかの態様が、さまざまな装置および方法を参照して表されるだろう。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【０００９】
例によれば、要素、または要素の任意の部分、または要素の任意の組み合わせが、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。
【００１０】
したがって、１または複数の典型的な実施形態では、記載された機能は、ハードウェア、ソフトウェア、ファームウェア、あるいはこれらの任意の組み合わせで実現されうる。
【００１１】
ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙ（登録商標）ディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。当業者であれば、システム全体に課せられる全体的な設計制約および特定のアプリケーションに依存して、本開示の全体にわたって示されている機能を、どうやって最良に実施するかを認識するだろう。
【００１２】
図１は、処理システム１１４を適用する装置１００のためのハードウェア実装の例を例示する概念図である。処理システム１１４は、一般にバス１０２によって表されるバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサおよび／またはハードウェア・モジュールと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。
【００１３】
プロセッサ１０４は、バス１０２や、コンピュータ読取可能な媒体１０６に格納されたソフトウェアの実行を含む一般的な処理の管理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１４】
図２は、典型的なピア・トゥ・ピア通信システム２００の図解である。ピア・トゥ・ピア通信システム２００は、複数の無線デバイス２０６，２０８，２１０，２１２を含んでいる。ピア・トゥ・ピア通信システム２００は、例えばＷＷＡＮのようなセルラ通信システムとオーバラップしうる。無線デバイス２０６，２０８，２１０，２１２のうちのいくつかは、ピア・トゥ・ピア通信でともに通信し、いくつかは、ｅノードＢ２０４と通信し、いくつかはこれら両方を行いうる。例えば、図２に図示されるように、無線デバイス２０６，２０８が、ピア・トゥ・ピア通信をしており、無線デバイス２１０，２１２が、ピア・トゥ・ピア通信をしている。無線デバイス２１２は、さらにｅノードＢ２０４と通信している。
【００１５】
無線デバイスは、当業者によって、代わりに、ユーザ機器（ＵＥ）、移動局、加入者局、モバイル・ユニット、加入者ユニット、無線ユニット、無線ノード、遠隔ユニット、モバイル・デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、または、その他いくつかの適切な用語で称されうる。基地局はまた、当業者によって、アクセス・ポイント、基地トランシーバ局、ラジオ基地局、ラジオ・トランシーバ、トランシーバ機能、基本サービス・セット（ＢＳＳ）、拡張サービス・セット（ＥＳＳ）、ノードＢ、イボルブド・ノードＢ、またはその他いくつかの適切な用語で称されうる。
【００１６】
以下に記載された典型的な方法および装置は、例えばＦｌａｓｈＬｉｎＱ、ＷｉＭｅｄｉａ、ブルートゥース、ＺｉｇＢｅｅ（登録商標）、または、ＩＥＥＥ  ８０２．１１規格に基づくＷｉ−Ｆｉ、に基づく無線ピア・トゥ・ピア通信システムのようなさまざまな無線ピア・トゥ・ピア通信システムの何れかに適用可能である。説明を単純化するために、典型的な方法および装置が、ＦｌａｓｈＬｉｎＱのコンテキストで説明される。しかしながら、当業者であれば、これら典型的な方法および装置は、その他さまざまな無線ピア・トゥ・ピア通信システムに、より一般的に適用可能であることを理解するだろう。
【００１７】
図３は、時間において直交するＷＷＡＮ通信リソースとピア・トゥ・ピア通信リソースとを例示する図解３００である。図３に図示されるように、ＷＷＡＮリソース３０２およびピア・トゥ・ピア（Ｐ２Ｐ）リソース３０４は、時間において直交されており、ＷＷＡＮ通信とピア・トゥ・ピア通信との間の干渉が回避されうる。
【００１８】
図４は、ダウンリンク受信タイミングおよびタイミング・アドバンスを例示する図解４００である。同期されたＬＴＥネットワークでは、ＵＥは、関連付けられたｅノードＢとのアップリンク通信およびダウンリンク通信のために異なるタイミングを使用する。ダウンリンク・シンボル・タイミング４１２はＵＥによって受信されると、ｅノードＢにおけるダウリンク・シンボル・タイミング４１０からの伝搬遅延Ｔｐによって遅延される。アップリンク直交性は、ＵＥからの送信がｅノードＢの受信機において時間がアライメントされることを保証することによって維持される。アップリンク直交性は、連続したサブフレームで送信するために割り当てられたＵＥ間、および、隣接するサブキャリアで送信しているＵＥ間で生じるセル内干渉を回避する。時間アライメントは、ＵＥにおいて受信されるようなダウンリンク・シンボル・タイミング４１２に関し、ＵＥが２Ｔｐのタイミング・アドバンスを適用することによって達成される。これによって、ＵＥのためのアップリンク送信シンボル・タイミング４１４は、ｅノードＢによって受信されるようなアップリンク・シンボル・タイミング４１６よりもＴｐ早くなる。
【００１９】
図５は、ピア・トゥ・ピア通信タイミングを決定するための典型的な方法を例示する図解である。図５に示されるように、ＵＥによって受信されるようなダウンリンク・シンボル・タイミング５１２が、ｅノードにおけるダウンリンク・シンボル・タイミング５１０から伝搬遅延Ｔｄまで遅延される。アップリンク直交性を維持するための時間アライメントは、ＵＥにおいて受信されるようなダウンリンク・シンボル・タイミング５１２に対するタイミング・アドバンスＴａをＵＥが適用することによって達成される。これによって、ＵＥのためのアップリンク送信シンボル・タイミング５１４は、ｅノードＢにおけるダウンリンク・シンボル・タイミング５１０よりもＴｕ早くなる。
【００２０】
アップリンク送信タイミングＴｕは、タイミング・アドバンスＴａとダウンリンク受信タイミングＴｄとの差に等しい。ピア・トゥ・ピア通信タイミング５１６は、ｅノードＢにおけるダウンリンク・シンボル・タイミング５１０に対するオフセットＴＰ２Ｐによって決定される。オフセットＴＰ２Ｐは、アップリンク送信タイミングＴｕとダウンリンク受信タイミングＴｄの平均である。ダウンリンク受信タイミングＴｄ、タイミング・アドバンスＴａ、アップリンク送信タイミングＴｕ、およびオフセットＴＰ２Ｐの関係は、以下の通りである。  
Ｔｕ＝Ｔａ−Ｔｄ      （式１）  
ＴＰ２Ｐ＝（Ｔｕ＋Ｔｄ）／２      （式２）  
ｅノードＢにおけるダウリンク・シンボル・タイミング５１０に対するオフセットＴＰ２Ｐを有するピア・トゥ・ピア通信タイミング５１６によって、ｅノードＢから／への伝搬遅延に関する調節を最小化しながら、地理的近隣にあるピアＵＥのための一定のピア・トゥ・ピア・タイミングが可能となる。
【００２１】
典型的な方法によれば、ＵＥは、ピア・トゥ・ピア・リソース５１８を利用するためのピア・トゥ・ピア通信タイミング（すなわち、クロック・タイミング）５１６を、ＷＷＡＮダウンリンク受信タイミングＴｄおよびＷＷＡＮアップリンク送信タイミングＴｕに基づいて決定する。ＵＥは、ピア・トゥ・ピア・リソース５１８を用いたピア・トゥ・ピア通信のためのクロック・タイミング５１６を利用する。ＵＥは、ＷＷＡＮダウンリンク受信タイミングＴｄとＷＷＡＮアップリンク送信タイミングＴｕとを平均化することによってクロック・タイミング５１６を決定する（式２参照）。ＵＥは、ｅノードＢから受信したタイミング同期信号に基づいて、ＷＷＡＮダウンリンク受信タイミングＴｄを決定する。タイミング同期信号は、一次同期信号（ＰＳＳ）または二次同期信号（ＳＳＳ）でありうる。ＵＥは、ｅノードＢからタイミング・アドバンスＴａを受信し、タイミング・アドバンスＴａに基づいて、ＷＷＡＮアップリンク送信タイミングＴｕを決定する（式１参照）。ＵＥは、ピア・トゥ・ピア通信タイミング５１６を決定すると、ピア・トゥ・ピア通信タイミング５１６を二次タイミング・チャネルで定期的にブロードキャストしうる。これによって、ｅノードＢとのアクティブなアップリンク接続およびダウンリンク接続を持たないピアＵＥは、二次タイミング・チャネルをモニタし、受信したタイミング情報を、ピア・トゥ・ピア通信のために適用しうる。
【００２２】
図５に図示されるように、リソース５１６は、ピア・トゥ・ピア・リソース５１８に隣接しているＷＷＡＮリソース５２０，５２２を含みうる。ＵＥは、タイミング・アドバンスＴａに基づいて、ピア・トゥ・ピア・リソース５１８の一部を用いることを回避または抑制しうる。すなわち、ＵＥは、ＷＷＡＮリソース５２０に隣接した第１の期間ＴＰ１と、ＷＷＡＮリソース５２２に隣接した第２の期間ＴＰ２とを用いることを回避しうる。第１の期間ＴＰ１は、他のＵＥがｅノードＢから信号を受信している期間であり、第２の期間ＴＰ２は、他のＵＥがｅノードＢへ信号を送信している期間である。第１の構成では、第１の期間ＴＰ１および第２の期間ＴＰ２はそれぞれ、例えば、タイミング・アドバンスＴａが、ダウンリンク受信タイミングＴｄの２倍に等しい場合、タイミング・アドバンスＴａの半分に等しい。第２の構成では、例えば、タイミング・アドバンスＴａが、ダウンリンク受信タイミングＴｄの２倍に等しくない場合、第１の期間ＴＰ１がダウンリンク受信タイミングＴｄに等しく、第２の期間ＴＰ２がアップリンク送信タイミングＴｕに等しい。
【００２３】
図６は典型的な方法のフロー・チャート６００である。この方法はＵＥによって実行される。図６に図示されるように、ＵＥは、基地局からタイミング同期信号を受信する（６０２）。ＵＥは、受信したタイミング同期信号に基づいてＷＷＡＮダウンリンク受信タイミングを決定する（６０４）。ＵＥは、基地局からタイミング・アドバンスを受信する（６０６）。ＵＥは、受信したタイミング・アドバンスに基づいて、ＷＷＡＮアップリンク送信タイミングを決定する（６０６）。ＵＥはその後、ＷＷＡＮダウンリンク受信タイミングおよびＷＷＡＮアップリンク送信タイミングに基づいて、ピア・トゥ・ピア・リソースを含むリソースを利用するためのクロック・タイミングを決定する（６１０）。ＵＥは、ピア・トゥ・ピア・リソースを用いたピア・トゥ・ピア通信のために、クロック・タイミングを利用する（６１２）。ＵＥは、決定したクロック・タイミングをブロードキャストしうる（６１４）。ＵＥは、ＷＷＡＮダウンリンク受信タイミングとＷＷＡＮアップリンク送信タイミングとを平均化することにより、クロック・タイミングを決定しうる。リソースはさらに、ピア・トゥ・ピア・リソースで多重化されたＷＷＡＮリソース周波数分割を含みうる。
【００２４】
図７は、別の典型的な方法のフロー・チャート７００である。この方法は、ＵＥによって実行される。リソースはさらに、ピア・トゥ・ピア・リソースに隣接したＷＷＡＮリソースを含みうる。図７に図示されるように、ＵＥは、基地局からタイミング・アドバンスを受信する（７０２）。ＵＥは、ＷＷＡＮダウンリンク受信タイミングおよびＷＷＡＮアップリンク送信タイミングに基づいて、ピア・トゥ・ピア・リソースを含むリソースを利用するためのクロック・タイミングを決定する（７０４）。タイミング・アドバンスに基づいて、ＷＷＡＮアップリンク送信タイミングが決定される（７０４）。ＵＥは、ピア・トゥ・ピア・リソースを用いたピア・トゥ・ピア通信のために、クロック・タイミングを利用する（７０６）。ＵＥは、タイミング・アドバンスに基づいて、２つの期間のためにピア・トゥ・ピア・リソースを用いることを回避する（７０８）。２つの期間の各期間は、ＷＷＡＮリソースに隣接している（７０８）。各期間は、タイミング・アドバンスの半分でありうる。２つの期間は、第１の期間と第２の期間とを含みうる。第１の期間は、他の無線デバイス（すなわち、ＵＥ）が基地局から信号を受信する期間であり、第２の期間は、他の無線デバイスが基地局へ信号を送信する期間である。第１の期間は、ＷＷＡＮダウンリンク受信タイミングに等しくなりうる。また、第２の期間は、ＷＷＡＮアップリンク送信タイミングに等しくなりうる。
【００２５】
図８は、典型的な装置１００の機能を例示する概念ブロック図８００である。この典型的な装置１００はＵＥである。装置１００は、ピア・トゥ・ピア・リソースを含むリソースを利用するためのクロック・タイミングを、ＷＷＡＮダウンリンク受信タイミングおよびＷＷＡＮアップリンク送信タイミングに基づいて決定するモジュール８０２を含む。装置１００はさらに、ピア・トゥ・ピア・リソースを用いたピア・トゥ・ピア通信のためにクロック・タイミングを利用するモジュール８０４を含む。この装置１００は、前述したフロー・チャートにおけるステップのおのおのを実行する追加のモジュールを含みうる。このため、前述したフロー・チャートのおのおののステップは、このモジュールによって実行され、装置１００は、これらのモジュールのうちの１または複数を含みうる。
【００２６】
１つの構成では、図１に示すように、無線通信のための装置１００が、ピア・トゥ・ピア・リソースを含むリソースを利用するためのクロック・タイミングを、ＷＷＡＮダウンリンク受信タイミングおよびＷＷＡＮアップリンク送信タイミングに基づいて決定する手段を含む。装置１００はさらに、ピア・トゥ・ピア・リソースを用いたピア・トゥ・ピア通信のためにクロック・タイミングを利用する手段を含む。装置１００はさらに、ＷＷＡＮダウンリンク受信タイミングとＷＷＡＮアップリンク送信タイミングとを平均化する、クロック・タイミングを決定する手段を含みうる。装置１００はさらに、基地局からタイミング同期信号を受信する手段と、受信したタイミング同期信号に基づいて、ＷＷＡＮダウンリンク受信タイミングを決定する手段と、を含みうる。装置１００はさらに、基地局からタイミング・アドバンスを受信する手段と、受信したタイミング・アドバンスに基づいて、ＷＷＡＮアップリンク送信タイミングを決定する手段と、を含みうる。１つの構成では、リソースはさらに、ピア・トゥ・ピア・リソースに隣接しているＷＷＡＮリソースを含んでいる。そのような構成では、装置１００はさらに、基地局からタイミング・アドバンスを受信する手段と、タイミング・アドバンスに基づいて、２つの期間のためにピア・トゥ・ピア・リソースを用いることを回避する手段と、を含みうる。これら２つの期間の各期間は、ＷＷＡＮリソースに隣接している。装置１００はさらに、クロック・タイミングをブロードキャストする手段を含みうる。前述された手段は、前述された手段によって詳述された機能を実行するように構成された処理システム１１４である。
【００２７】
開示された処理におけるステップの特定の順序または階層は、典型的なアプローチの例示であることが理解される。設計選択に基づいて、これら処理におけるステップの具体的な順序または階層は、再構成されうることが理解される。同伴する方法請求項は、さまざまなステップの要素を、サンプル順で示しており、示された具体的な順序または階層に限定されないことが意味される。
【００２８】
前述した記載は、当業者が、本明細書に記載されたさまざまな態様を実現することができるように提供されている。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。これら請求項要素が、「〜する手段」という文言を用いて明確に記載されていないのであれば、あるいは、方法請求項の場合に、「〜するステップ」という文言を用いて記載されていないのであれば、いずれの請求項要素も、３５Ｕ．Ｓ．Ｃ第１１２条第６パラグラフの下で解釈されるべきではない。
以下に本願発明の当初の特許請求の範囲に記載された発明を付記する。
［Ｃ１］
無線通信の方法であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定することと、
前記ピア・トゥ・ピア・リソースを用いたピア・トゥ・ピア通信のために、前記クロック・タイミングを利用することと、を備える方法。
［Ｃ２］
前記クロック・タイミングを決定することは、前記ＷＷＡＮダウンリンク受信タイミングと前記ＷＷＡＮアップリンク送信タイミングとを平均化することを備える、Ｃ１に記載の方法。
［Ｃ３］
基地局からタイミング同期信号を受信することと、
前記受信したタイミング同期信号に基づいて、前記ＷＷＡＮダウンリンク受信タイミングを決定することと、をさらに備えるＣ１に記載の方法。
［Ｃ４］
基地局からタイミング・アドバンスを受信することと、
前記受信したタイミング・アドバンスに基づいて、前記ＷＷＡＮアップリンク送信タイミングを決定することと、をさらに備えるＣ１に記載の方法。
［Ｃ５］
前記リソースはさらに、前記ピア・トゥ・ピア・リソースで多重化されたＷＷＷリソース周波数分割を備える、Ｃ１に記載の方法。
［Ｃ６］
前記リソースはさらに、前記ピア・トゥ・ピア・リソースに隣接するＷＷＡＮリソースを備え、前記方法はさらに、
基地局からタイミング・アドバンスを受信することと、
前記タイミング・アドバンスに基づいて、前記ピア・トゥ・ピア・リソースを２つの期間のために用いることを回避することとをさらに備え、
前記２つの期間の各期間は、前記ＷＷＡＮリソースに隣接している、Ｃ１に記載の方法。
［Ｃ７］
前記各期間は、前記タイミング・アドバンスの半分である、Ｃ６に記載の方法。
［Ｃ８］
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、Ｃ６に記載の方法。
［Ｃ９］
前記第１の期間は、前記ＷＷＡＮダウンリンク受信タイミングに等しく、前記第２の期間は、前記ＷＷＡＮアップリンク送信タイミングに等しい、Ｃ８に記載の方法。
［Ｃ１０］
前記クロック・タイミングをブロードキャストすること、をさらに備えるＣ１に記載の方法。
［Ｃ１１］
無線通信のための装置であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定する手段と、
前記ピア・トゥ・ピア・リソースを用いたピア・トゥ・ピア通信のために、前記クロック・タイミングを利用する手段と、を備える装置。
［Ｃ１２］
前記クロック・タイミングを決定する手段は、前記ＷＷＡＮダウンリンク受信タイミングと前記ＷＷＡＮアップリンク送信タイミングとを平均化する、Ｃ１１に記載の装置。
［Ｃ１３］
基地局からタイミング同期信号を受信する手段と、
前記受信したタイミング同期信号に基づいて、前記ＷＷＡＮダウンリンク受信タイミングを決定する手段と、をさらに備えるＣ１１に記載の装置。
［Ｃ１４］
基地局からタイミング・アドバンスを受信する手段と、
前記受信したタイミング・アドバンスに基づいて、前記ＷＷＡＮアップリンク送信タイミングを決定する手段と、をさらに備えるＣ１１に記載の装置。
［Ｃ１５］
前記リソースはさらに、前記ピア・トゥ・ピア・リソースで多重化されたＷＷＷリソース周波数分割を備える、Ｃ１１に記載の装置。
［Ｃ１６］
前記リソースはさらに、前記ピア・トゥ・ピア・リソースに隣接するＷＷＡＮリソースを備え、前記装置はさらに、
基地局からタイミング・アドバンスを受信する手段と、
前記タイミング・アドバンスに基づいて、前記ピア・トゥ・ピア・リソースを２つの期間のために用いることを回避する手段とを備え、
前記２つの期間の各期間は、前記ＷＷＡＮリソースに隣接している、Ｃ１１に記載の装置。
［Ｃ１７］
前記各期間は、前記タイミング・アドバンスの半分である、Ｃ１６に記載の装置。
［Ｃ１８］
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、Ｃ１６に記載の装置。
［Ｃ１９］
前記第１の期間は、前記ＷＷＡＮダウンリンク受信タイミングに等しく、前記第２の期間は、前記ＷＷＡＮアップリンク送信タイミングに等しい、Ｃ１８に記載の装置。
［Ｃ２０］
前記クロック・タイミングをブロードキャストする手段、をさらに備えるＣ１１に記載の装置。
［Ｃ２１］
無線通信のための装置であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定し、
前記ピア・トゥ・ピア・リソースを用いたピア・トゥ・ピア通信のために、前記クロック・タイミングを利用するように構成された処理システム、を備える装置。
［Ｃ２２］
前記クロック・タイミングを決定するために、前記処理システムは、前記ＷＷＡＮダウンリンク受信タイミングと前記ＷＷＡＮアップリンク送信タイミングとを平均化するように構成された、Ｃ２１に記載の装置。
［Ｃ２３］
前記処理システムはさらに、基地局からタイミング同期信号を受信し、前記受信したタイミング同期信号に基づいて、前記ＷＷＡＮダウンリンク受信タイミングを決定するように構成された、Ｃ２１に記載の装置。
［Ｃ２４］
前記処理システムはさらに、
基地局からタイミング・アドバンスを受信し、
前記受信したタイミング・アドバンスに基づいて、前記ＷＷＡＮアップリンク送信タイミングを決定するように構成された、Ｃ２１に記載の装置。
［Ｃ２５］
前記リソースはさらに、前記ピア・トゥ・ピア・リソースで多重化されたＷＷＷリソース周波数分割を備える、Ｃ２１に記載の装置。
［Ｃ２６］
前記リソースはさらに、前記ピア・トゥ・ピア・リソースに隣接するＷＷＡＮリソースを備え、前記処理システムはさらに、
基地局からタイミング・アドバンスを受信し、
前記タイミング・アドバンスに基づいて、前記ピア・トゥ・ピア・リソースを２つの期間のために用いることを回避するように構成され、
前記２つの期間の各期間は、前記ＷＷＡＮリソースに隣接している、Ｃ２１に記載の装置。
［Ｃ２７］
前記各期間は、前記タイミング・アドバンスの半分である、Ｃ２６に記載の装置。
［Ｃ２８］
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、Ｃ２６に記載の装置。
［Ｃ２９］
前記第１の期間は、前記ＷＷＡＮダウンリンク受信タイミングに等しく、前記第２の期間は、前記ＷＷＡＮアップリンク送信タイミングに等しい、Ｃ２８に記載の装置。
［Ｃ３０］
前記処理システムはさらに、前記クロック・タイミングをブロードキャストするように構成された、Ｃ２１に記載の装置。
［Ｃ３１］
無線デバイスにおけるコンピュータ・プログラム製品であって、
ピア・トゥ・ピア・リソースを備えるリソースを利用するためのクロック・タイミングを、無線広域ネットワーク（ＷＷＡＮ）ダウンリンク受信タイミングとＷＷＡＮアップリンク送信タイミングとに基づいて決定することと、
前記ピア・トゥ・ピア・リソースを用いたピア・トゥ・ピア通信のために、前記クロック・タイミングを利用することと、のためのコードを備えるコンピュータ読取可能な媒体を備える、コンピュータ・プログラム製品。
［Ｃ３２］
前記クロック・タイミングを決定するためのコードは、前記ＷＷＡＮダウンリンク受信タイミングと前記ＷＷＡＮアップリンク送信タイミングとを平均化する、Ｃ３１に記載のコンピュータ・プログラム製品。
［Ｃ３３］
前記コンピュータ読取可能な媒体はさらに、
基地局からタイミング同期信号を受信することと、
前記受信したタイミング同期信号に基づいて、前記ＷＷＡＮダウンリンク受信タイミングを決定することと、のためのコードを備える、Ｃ３１に記載のコンピュータ・プログラム製品。
［Ｃ３４］
前記コンピュータ読取可能な媒体はさらに、
基地局からタイミング・アドバンスを受信することと、
前記受信したタイミング・アドバンスに基づいて、前記ＷＷＡＮアップリンク送信タイミングを決定することと、のためのコードを備える、Ｃ３１に記載のコンピュータ・プログラム製品。
［Ｃ３５］
前記リソースはさらに、前記ピア・トゥ・ピア・リソースで多重化されたＷＷＷリソース周波数分割を備える、Ｃ３１に記載のコンピュータ・プログラム製品。
［Ｃ３６］
前記リソースはさらに、前記ピア・トゥ・ピア・リソースに隣接するＷＷＡＮリソースを備え、
前記コンピュータ読取可能な媒体はさらに、
基地局からタイミング・アドバンスを受信することと、
前記タイミング・アドバンスに基づいて、前記ピア・トゥ・ピア・リソースを２つの期間のために用いることを回避することとのためのコードを備え、
前記２つの期間の各期間は、前記ＷＷＡＮリソースに隣接している、Ｃ３１に記載のコンピュータ・プログラム製品。
［Ｃ３７］
前記各期間は、前記タイミング・アドバンスの半分である、Ｃ３６に記載のコンピュータ・プログラム製品。
［Ｃ３８］
前記２つの期間は、第１の期間と第２の期間を備え、前記第１の期間は、他の無線デバイスが前記基地局から信号を受信する期間であり、前記第２の期間は、他の無線デバイスが前記基地局へ信号を送信する期間である、Ｃ３６に記載のコンピュータ・プログラム製品。
［Ｃ３９］
前記第１の期間は、前記ＷＷＡＮダウンリンク受信タイミングに等しく、前記第２の期間は、前記ＷＷＡＮアップリンク送信タイミングに等しい、Ｃ３８に記載のコンピュータ・プログラム製品。
［Ｃ４０］
前記コンピュータ読取可能な媒体はさらに、前記クロック・タイミングをブロードキャストするためのコードを備える、Ｃ３１に記載のコンピュータ・プログラム製品。
【図１】
0005694603.tif 000002
【図２】
0005694603.tif 000003
【図３】
0005694603.tif 000004
【図４】
0005694603.tif 000005
【図５】
0005694603.tif 000006
【図６】
0005694603.tif 000007
【図７】
0005694603.tif 000008
【図８】
0005694603.tif 000009